(57)【要約】      （修正有）【課題】通常使用時には可動部材の離脱を阻止し、部品交換や調整などの必要時には、扉を開放した状態で、固定部材から可動部材を容易に外すことができる着脱式の蝶番を提供する。【解決手段】ヒンジピンの先端近傍の外周部に係止溝が形成される。軸受部材の軸受孔３ａの近傍に、ヒンジピンを係止する係止部を有するピン係止部材６が、軸受孔に挿入されたヒンジピンの係止溝に係止部を進入可能に設けられる。ピン係止部材６は、付勢ばね７により係止部をピンジピンの係止溝に係止させる方向に付勢される。スライド部材８が摺動可能に設けられ、スライド部材８の摺動により、ピン係止部材６の係止部と係止溝の係合を解除する。【選択図】図５
2016211313.tif 000002
【特許請求の範囲】
【請求項１】
ゲーム機の開閉可能な扉と筐体間に取り付けられ、縦長の第一部材と第二部材とを備えた着脱形の蝶番において、
該第一部材の基枠体内の少なくとも上部と下部に、軸受部を有する軸受部材が、軸受孔の軸心位置を１本の軸線上に一致させて固定され、該第二部材の取付板部の少なくとも上部と下部の縁部に、該軸受部材に嵌入可能なヒンジピンが軸心位置を１本の軸線上に一致させて固定され、
該ヒンジピンの先端近傍の外周部に係止溝が形成され、該軸受部材内には、スライド部材が摺動可能に配設され、
該軸受部材の該軸受孔の近傍には、該ヒンジピンを係止する係止部を有するピン係止部材が、該軸受孔に挿入された該ヒンジピンの該係止溝に該係止部を進入可能に設けられるとともに、該係止部を該ピンジピンの該係止溝に係止させる方向に付勢する付勢ばねが設けられ、
該スライド部材には該ピン係止部材と係合する傾斜係合部が設けられるとともに、押下先端部が該軸受部材から露出して設けられ、
該押下先端部を押して該スライド部材を摺動させたとき、該傾斜係合部が該ピン係止部材と係合して、該付勢ばねのバネ力に抗して、該係止部が該ヒンジピンの係止溝から離れる方向に該ピン係合部材が摺動することを特徴とする蝶番。
【請求項２】
前記スライド部材の末端には、末端傾斜部が設けられ、前記第一部材または第二部材を閉じる方向に回動させたとき、前記ヒンジピンの軸保持部が該末端傾斜部と係合して該スライド部材を戻り摺動させ、前記ピン係止部材の係止部が該ヒンジピンの係止溝と係合することを特徴とする請求項１記載の蝶番。
【請求項３】
前記付勢ばねとしてのコイルばねが、前記ピン係止部材に設けたばね保持部に保持ざれ、前記スライド部材の傾斜係合部に隣接して係合凹部が該スライド部材に設けられ、該スライド部材が戻り摺動して該係合凹部内に該ピン係止部材のばね保持部が進入したとき、該ピン係止部材の係止部が該ヒンジピンの係止溝と係合することを特徴とする請求項２記載の蝶番。
【請求項４】
前記スライド部材は前記軸受部材内に上下に摺動可能に設けられ、該スライド部材の前記押下先端部は、該軸受部材の上面から上方に突出可能に設けられたことを特徴とする請求項１記載の蝶番。
【発明の詳細な説明】
【技術分野】
【０００１】
本発明は、ゲーム機などの扉を筐体に対し開閉自在に支持する着脱形（ヒンジピン挿入形）の蝶番に関する。
【背景技術】
【０００２】
従来、例えばスロットマシンの扉を開閉自在に支持する蝶番として、固定部材と可動部材とからなり、固定部材の取付板部の縁部に軸受部が設けられ、可動部材の巻付部にピンが下方に突出して固定され、そのピンを固定部材側の軸受孔に挿入して組み付ける構造の着脱形の蝶番が知られている。この蝶番は、通常、ゲーム機の形状が大きいこともあって、本体と前扉間の上部と下部の２箇所に取り付けられる。
【０００３】
スロットマシンの扉の開閉を円滑にするためには、その本体と前扉間に装着される２個の蝶番の回転軸の軸心位置を正確に合わせて取り付ける必要がある。従って、上記のように２個の蝶番を本体と前扉間に取り付ける場合、本体側に２個の固定部材をその軸受部の軸心位置を合わせて固定すると共に、前扉側の対応位置に２個の可動部材をそのピンの軸心位置を正確に合わせて、固定しなければならず、蝶番の取付け作業が難しく煩雑で、多くの時間や工数を必要とする問題があった。
【０００４】
そこで、本発明者らは、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした蝶番を提案した。
【０００５】
この蝶番は、縦長の固定部材の上部と下部に軸受部となる軸受孔を同一軸線上に設け、同様の縦長の可動部材の上部と下部にピンを同一軸線上に取り付けて構成されるため、蝶番を組み付ける際には、可動部材を取り付けた前扉を持ち上げながら、本体側の固定部材の上部と下部の軸受孔に、各々同時に挿入する。このため、重量の重いゲーム機の前扉であっても、比較的容易に上下のピンの軸を合わせて蝶番つまり前扉を組み付けることができる。
【先行技術文献】
【特許文献】
【０００６】
【特許文献１】特開２０００−２１３２２７号公報
【特許文献２】特開２００３−１１３６８９号公報
【発明の概要】
【発明が解決しようとする課題】
【０００７】
また、この種の蝶番として、上記とは逆に、縦長の固定部材の上部と下部にピンを同一軸線上に取り付け、縦長の可動部材の上部と下部に軸受部となる軸受孔を同一軸線上に設けた構成の蝶番が、上記特許文献１などで知られている。
【０００８】
この種の蝶番は、上下の軸受孔と上下のピンが各々の部材の同一軸線上に位置するため、比較的簡単に可動部材を持ってその上部と下部の軸受部を動かしながら、その軸受孔を固定部材の上部と下部のピンを上下の軸受孔と上下のピンに容易に嵌め込むことができ、可動部材を固定部材に対しそのピンを軸受孔に嵌め込んだ後、可動部材は固定部材に対し所定の角度範囲内で、円滑に回動自在となる。
【０００９】
ところで、この種の着脱形の蝶番は、ゲーム機のように、製造時、前扉の内側に多くの電気部品などを取り付けた状態で、筐体に対し前扉を取り付けるために、筐体側の蝶番固定部材のピンに、前扉側の蝶番可動部材の軸受部を嵌入して、容易に組み付けることができる構造であるため、前扉を開放した状態で持ち上げた場合、組み付けた蝶番の可動部材が固定部材から外れやすいという不具合が生じる。このため、上記特許文献２で提案される蝶番では、ピンの先端部外周に、係止溝を設け、ピンに対し軸受部を嵌入した状態で、その係止溝にＣリング（Ｅリング）を嵌め、組み付けた蝶番可動部材が蝶番固定部材から外れないようにしている。
【００１０】
しかるに、例えばスロットマシンなどのゲーム機では、製造時或いはホールに設置されたゲーム機に対し、前扉を外して電気部品などの調整や交換を行う場合があり、その際には、蝶番の可動部材を固定部材から外す必要がある。
【００１１】
しかしながら、簡単に可動部材の軸受部が固定部材のピンから外れる構造では、ゲーム機のセキュリティ上、問題が生じやすいため、前扉を閉じた状態で可動部材の着脱ができない構造とする必要があるが、製造時などに前扉を筐体から外して電気部品などの調整や交換などを行う場合には、前扉を開放した状態で、蝶番の固定部材から可動部材を容易に外すことができる蝶番が要望されていた。
【００１２】
本発明は、上記の点に鑑みてなされたもので、通常使用時には可動部材の離脱を阻止し、部品交換や調整などの必要時には、扉を開放した状態で、固定部材から可動部材を容易に外すことができる着脱式の蝶番を提供することを目的とする。
【課題を解決するための手段】
【００１３】
上記目的を達成するための本発明の蝶番は、
ゲーム機の開閉可能な扉と筐体間に取り付けられ、縦長の第一部材と第二部材とを備えた着脱形の蝶番において、
該第一部材の基枠体内の少なくとも上部と下部に、軸受部を有する軸受部材が、軸受孔の軸心位置を１本の軸線上に一致させて固定され、該第二部材の取付板部の少なくとも上部と下部の縁部に、該軸受部材に嵌入可能なヒンジピンが軸心位置を１本の軸線上に一致させて固定され、
該ヒンジピンの先端近傍の外周部に係止溝が形成され、
該軸受部材内には、スライド部材が摺動可能に配設され、
該軸受部材の該軸受孔の近傍には、該ヒンジピンを係止する係止部を有するピン係止部材が、該軸受孔に挿入された該ヒンジピンの該係止溝に該係止部を進入可能に設けられるとともに、該係止部を該ピンジピンの該係止溝に係止させる方向に付勢する付勢ばねが設けられ、
該スライド部材には該ピン係止部材と係合する傾斜係合部が設けられるとともに、押下先端部が該軸受部材から露出して設けられ、
該押下先端部を押して該スライド部材を摺動させたとき、該傾斜係合部が該ピン係止部材と係合して、該付勢ばねのばね力に抗して、該係止部が該ヒンジピンの係止溝から離れる方向に該ピン係合部材が摺動することを特徴とする。
【００１４】
この発明の蝶番は、第一部材を扉に可動部材として固定し、第二部材をゲーム機の筐体に固定部材として固定するか、或はその逆に、第二部材を扉に可動部材として固定し、第一部材を筐体に固定部材として固定して使用する。また、例えば、蝶番の第一部材を扉に可動部材として固定し、第二部材を筐体に固定部材として固定した場合、第二部材に設けたヒンジピンは上向きに固定される。逆に、蝶番の第二部材を扉に可動部材として固定し、第一部材を筐体に固定部材として固定した場合、第二部材に設けたヒンジピンは下向きに固定される。
【００１５】
蝶番は、第一部材を扉に可動部材として固定し、第二部材を筐体に固定部材として固定して使用した場合、扉を持って可動側の軸受部材の軸受孔を、固定部材側のヒンジピンに合わせるように、軸受部材をその軸線位置に合わせ、軸受孔の軸線とピンの軸線を一致させ、その状態で可動側の軸受部材の位置を少し下げ、固定部材側のヒンジピンを可動側の軸受部材の軸受孔に嵌入させる。このとき、上記ピン係止部材の係止部が上記ヒンジピンの係止溝に進入して係止し、ヒンジピンは軸受部材に対し係止されその離脱が阻止された状態となる。
【００１６】
扉側の第一部材（可動部材）を筐体側の第二部材（固定部材）に対し開いた状態で、外側からスライド部材の押下先端部を押すと、スライド部材の傾斜係合部がピン係止部材に作用して、ピン係止部材が付勢ばねのばね力に抗して摺動し、係止部をピンジピンの係止溝から離脱させる。このため、第一部材の軸受部材を第二部材のヒンジピンの軸方向に摺動させるように、扉つまり第一部材（可動部材）を動かせば、簡単に第一部材（可動部材）を第二部材（固定部材）から外すことができる。
【００１７】
ここで、上記スライド部材の末端には、末端傾斜部が設けられ、上記第一部材または第二部材を閉じる方向に回動させたとき、前記ヒンジピンの軸保持部が該末端傾斜部と係合して該スライド部材が戻り摺動し、前記ピン係止部材の係止部が該ヒンジピンの係止溝と係止するように構成することができる。これによれば、ヒンジピンを軸受部材に嵌入させ、第一部材と第二部材を閉じる方向に回動操作すれば、自動的にスライド部材が戻り摺動し、ピン係止部材の係止部がヒンジピンの係止溝に係合し、自動的にヒンジピンの外れを阻止する状態とすることができる。
【００１８】
またここで、上記付勢ばねとしてのコイルばねが、上記ピン係止部材に設けたばね保持部に保持ざれ、前記スライド部材の傾斜係合部に隣接して係合凹部が該スライド部材に設けられ、該スライド部材が戻り摺動して該係合凹部内に該ピン係止部材のばね保持部が進入したとき、該ピン係止部材の係止部が該ヒンジピンの係止溝と係止するように構成することができる。また、上記スライド部材は、上記軸受部材内に上下に摺動可能に設けられ、該スライド部材の前記押下先端部は、該軸受部材の上面から上方に突出可能に設けることができる。これによれば、可動側の第一部材を第二部材に対し開放した状態で、容易にスライド部材の押下先端部を押してピン係止部材の係止部による係止を外し、第一部材を第二部材から外すことができる。
【発明の効果】
【００１９】
本発明の蝶番によれば、通常使用時には可動部材の外れを阻止し、部品交換や調整などの必要時には、開状態において、スライド部材の押下先端部を押して、固定部材から可動部材を容易に外すことができる。
【図面の簡単な説明】
【００２０】
【図１】本発明の蝶番の一実施形態を示し、蝶番の斜視図である。
【図２】同蝶番の可動部材と固定部材を分離した状態の斜視図である。
【図３】同蝶番の可動部材と固定部材を分離した状態の、別の角度の斜視図である。
【図４】同可動部材の軸受部材を外した状態の分解斜視図である。
【図５】同可動部材の軸受部材とヒンジピンの拡大斜視図である。
【図６】同軸受部材の正面図（ａ）、その左側面図（ｂ）、その平面図（ｃ）である。
【図７】同軸受部材の分解斜視図である。
【図８】同軸受部材の下から見た分解斜視図である。
【図９】固定部材の斜視図である。
【図１０】固定部材のヒンジピンを外した状態の分解斜視図である。
【図１１】固定部材のヒンジピンを外した状態を、下から見た分解斜視図である。
【図１２】ヒンジピンと軸受部材を組み付けた状態の拡大斜視図である。
【図１３】ヒンジピンと軸受部材を組み付けた状態の正面図（ａ）、その背面図（ｂ）である。
【図１４】ヒンジピンと軸受部材を組み付けた状態の右側面図（ａ）、その左側面図（ｂ）である。
【図１５】（ａ）は同蝶番の可動部材を閉じたときの平面図、（ｂ）は同蝶番の可動部材を開いたときの平面図である。
【図１６】（ａ）は閉鎖状態の可動部材の軸受部材の拡大縦断面図、（ｂ）は開放状態においてスライド部材を押し下げ、可動部材の軸受部材を固定部材のヒンジピンから外す際の拡大縦断面図である。
【図１７】開放状態においてスライド部材を押し下げ、可動部材の軸受部材を固定部材のヒンジピンから外す際の横断面説明図である。
【図１８】可動部材を閉じてスライド部材を戻り摺動させる際の縦断面説明図である。
【図１９】同可動部材を閉じてスライド部材を戻り摺動させた状態の拡大部分斜視図である。
【発明を実施するための形態】
【００２１】
以下、本発明の実施の形態を図面に基づいて説明する。図１〜図４に示すように、この蝶番は、上記第一部材となる可動部材１と、上記第二部材となる固定部材１１を着脱可能に設けた縦長の蝶番であり、図１５に示すように、例えば可動部材１がスロットマシン等のゲーム機の扉Ｄに固定され、固定部材１１がゲーム機の筐体Ｃの内側に固定されて使用される。可動部材１は、図４に示すように、縦長の鋼板を断面略コ字状に曲折してなるチャンネル状の基枠体２を有し、その基枠体２の内側の上部、中間部、及び下部に、各々、軸受孔３ａを縦方向に有する軸受部材３を、固定ねじ４により或いはリベットかしめ加工等により固定して構成される。
【００２２】
可動部材１の基枠体２は、正面側を開口した断面略コ字状の長尺のチャンネル材形に形成され、その上部、中間部、及び下部の３箇所の内側に、各々、軸受部材３が固定される。軸受部材３は、硬質合成樹脂等により略直方体形状に一体成形され、中間部に凹部３ｄが形成され、その凹部３ｄの上面となる水平面部３ｂに、軸受孔３ａが下向きに形成される。この軸受孔３ａには固定部材１１側のヒンジピン１５が下方から嵌入されて軸受部を構成する。なお、軸受部材３は、可動部材１の上部と下部の２箇所の同一軸線上に設けてもよく、或いは４箇所に設けることもできる。
【００２３】
また、図６に示すように、軸受部材３の下部は、凹部３ｄを有して構成されるが、その凹部３ｄの中間位置の部分に、磁性体でばね性の金属板９がアース板として取り付けられる。スロットマシンなどの電子機器のゲーム機の場合、筐体Ｃ内の電子機器を電磁的にシールドする必要がある。このために、通常、筐体Ｃの金属フレームと扉Ｄの金属フレームとは、アース線により接続される。特に、上記のように軸受部材３が合成樹脂で成形され場合、蝶番の固定部材１１と可動部材１の電気的接続が不成立となりやすい。
【００２４】
このために、図５，６に示すように、湾曲した金属板９が、軸受部材３の凹部３ｄ位置に、筐体Ｃ側の固定部材１１と扉Ｄ側の可動部材１を、確実に電気的に接続するように取り付けられる。金属板９は、図１２〜図１４に示すように、蝶番の固定部材１１と可動部材１とを組み付け状態において、固定部材１１の金属の軸保持部１３がばね性を持って湾曲した金属板９と確実に当接し、金属板９の内側は、可動部材１の金属の基枠体２の内側に接触し、固定部材１１と可動部材１間の電気的接続を確実にすることができる。
【００２５】
また、可動部材１の基枠体２は、図４，１７に示すように、横断面をコ字状に形成され、その左側壁は、右側壁に比べ幅広に形成され、可動部材１をゲーム機の扉Ｄに取り付けて使用した場合、軸受部材３と軸保持部１３をこの左側壁で覆って、ゲーム機の筐体Ｃと扉Ｄの隙間から異物を挿入するなどの行為を不正防止すると共に、長尺の基枠体２の曲げ強度を高めている。また、扉Ｄを閉じた際、基枠体２の左側壁が固定部材１１の取付板部１２の縁部に当接し、筐体Ｃと扉Ｄの隙間を塞ぐ構造となっている。
【００２６】
さらに、図２などに示す如く、軸受部材３の下部には、軸保持部１３またはヒンジピン１５の下面に当接可能なストッパ部３ｃが突設され、固定部材１１のヒンジピン１５を軸受孔３ａに嵌入して、固定部材１１に対し可動部材１を組付け、且つ可動部材１を閉じた状態に回動させたとき、ヒンジピン１５または軸保持部１３の下面が当接し、可動部材１が外れない構造となっている。さらに、ヒンジピン１５の先端部近傍に、円環状の係止溝１５ａがピンの外周部に設けられる。この係止溝１５ａは、ヒンジピン１５が軸受部材３の軸受孔３ａに挿入されたとき、ピン係止部材６の係止部６ａが係止溝１５ａに進入して、軸受孔３ａ内のヒンジピン１５を係止し、抜け止めとして作用する。
【００２７】
さらに、３箇所の軸受部の軸受孔３ａの位置は、基枠体２の一方の壁部と軸受部材３の背面壁の近傍に位置し、後述の軸保持部１３のヒンジピン１５を嵌入したとき、それらの軸心位置が、一致するように配置されている。このような軸受部材３は、基枠体２内の上部、中間部、下部の定位置に、固定ねじ４或いはリベットなどにより固定される。
【００２８】
図５，７，８に示すように、軸受部材３には、軸受孔３ａに挿入されたヒンジピン１５の離脱を阻止するために、ピン係止部材６が摺動可能に設けられる。ピン係止部材６は、ヒンジピン１５の先端部近傍に設けた係止溝１５ａに係止される係止部６ａ及び付勢ばね７（コイルばね）のばね保持部６ｂを有して構成され、軸受部材３の上部に形成されたスリット孔内に、図５の前後方向に摺動可能に収容される。ピン係止部材６のばね保持部６ｂには、付勢ばね（コイルばね）７が配設され、ピン係止部材６の係止部６ａを前方に突き出すように、ピン係止部材６は付勢される。
【００２９】
さらに、軸受部材３内には、ピン係止部材６に隣接して、スライド部材８が縦方向に摺動可能に挿入される。スライド部材８は、可動部材１が開放状態において、上方から押し下げるように操作され、ヒンジピン１５を係止するピン係止部材６を動かして、ヒンジピン１５の係止を外すように動作する。スライド部材８は、図７、図８に示すように、角棒状に形成され、上端部に押下先端部８ｄが形成され、軸受部材３から上方に露出(突出)可能である。また、スライド部材８の下端部（末端部）には末端傾斜部８ｃが傾斜面を有して形成され、末端傾斜部８ｃの上方の側面に、係合凹部８ａが形成されるとともに、係合凹部８ａ内の上側に傾斜係合部８ｂが形成される。
【００３０】
係合凹部８ａは、ピン係止部材６のばね保持部６ｂが進入可能に形成され、スライド部材８が上方位置にあると、付勢ばね７の付勢力によりピン係止部材６のばね保持部６ｂが係合凹部８ａに進入し、このとき、ピン係止部材６の係止部６ａがヒンジピン１５の係止溝１５ａに係合し、ヒンジピン１５を抜け止め状態するようになっている。また、スライド部材８の押下先端部８ｄを押して押し下げたとき、その傾斜係合部８ｂがピン係止部材６のばね保持部６ｂを押して、ピン係止部材６が付勢ばね７を圧縮する方向つまりピン係止部材６の係止部６ａをヒンジピン１５の係止溝１５ａから外す方向に摺動し、ヒンジピン１５の抜け止めを解除して、ヒンジピン１５から軸受部材３を外すことができる構造となっている。
【００３１】
スライド部材８は、ある程度の摩擦抵抗をもって軸受部材３内に摺動可能に挿入されており、図１６（ｂ）に示すように、その押下先端部８ｄを押し下げたとき、付勢ばね７のばね力を、ばね保持部６ｂを介して横方向に受け、且つ軸受部材３内の摩擦抵抗により静止する。また、スライド部材８は、可動部材１を閉鎖してその末端傾斜部８ｃが固定部材１１の軸保持部１３から押し上げ力を受けたとき、上昇して、図１６（ａ）のヒンジピン係止状態に戻る構造である。
【００３２】
つまり、スライド部材８の下端に設けた末端傾斜部８ｃは、可動部材１が開放状態において、軸受部材３の軸受孔３ａが形成される水平面部３ｂから下方に突き出し可能に形成される。そして、可動部材１を閉じたとき、図１６（ａ）のように、末端傾斜部８ｃが固定部材１１の軸保持部１３から押し上げ力を受け、上昇する。このとき、ピン係止部材６が係止位置に戻り、その係止部６ａがヒンジピン１５の係止溝１５ａに進入し、ヒンジピン係止状態となる。
【００３３】
一方、ピン係止部材６の係止部６ａによるヒンジピン１５の抜け止めを解除して、ヒンジピン１５から軸受部材３を外す場合、図１６（ｂ）のように、スライド部材８を押し下げ、その傾斜係合部８ｂでばね保持部６ｂを押して、ピン係止部材６の係止部６ａがヒンジピン１５の係止溝１５ａから外れるように摺動させる。この状態で、ピン係止部材６の係止部６ａがヒンジピン１５の係止溝１５ａから外れ、且つスライド部材８が付勢ばね７のばね力を、ばね保持部６ｂを介して受ける状態となり、スライド部材８はその係止解除状態を保持する。なお、可動部材１の軸受部材３は、通常時、図１９に示す如く、固定部材１１のヒンジピン１５の軸保持部１３上に載置された状態にあるため、可動部材１の軸受部材３が自然に外れることはなく、可動部材１を外す場合には、軸受部材３を持ち上げて外すこととなる。
【００３４】
上記のように、可動部材１の軸受部材３は、固定部材１１に対し組み付ける場合には、可動部材１の開放状態において、可動部材１の軸受部材３の軸受孔３ａを、固定部材１１のヒンジピン１５に上から被せて嵌め込むこととなる。可動部材１の軸受部材３を嵌め込む前の状態において、スライド部材８は図１６（ｂ）に示す如く押し下げられ、その末端傾斜部８ｃが水平面部３ｂから下方に突出した状態である。軸受部材３を嵌め込んだ後、可動部材１は、固定部材１１に対し閉鎖方向に回動操作されるが、その際、固定部材１１の軸保持部１３が相対的に回動し、末端傾斜部８ｃを押し上げるようになっている。これにより、通常使用時、スライド部材８は、図１６(ａ)のように正常の係止位置まで上昇し、ピン係止部材６はその係止部６ａをヒンジピン１５の係止溝１５ａに係合させ、ヒンジピン１５は抜け止め状態となる構造となっている。
【００３５】
一方、固定部材１１は、図９〜図１１に示すように、縦長で帯状の鋼板からなる取付板部１２と、その取付板部１２の側部に延設されたＬ字状断面部１２ａとを基部として構成され、Ｌ字状断面部１２ａの側部の上部、中間部、及び下部に取付片１２ｂが内側に曲折して設けられる。ヒンジピン１５を保持する軸保持部１３は各取付片１２ｂに固定ねじ１４により取り付けられる。ヒンジピン１５には、図７，８に示すように、その外周部に係止溝１５ａが環状に形成され、ピン係止部材６の係止部６ａが係止溝１５ａに進入可能となっている。
【００３６】
これにより、可動部材１の軸受部材３の軸受孔３ａを、固定部材１１のヒンジピン１５に被せるように嵌合させたとき、付勢ばね７のばね力により、ピン係止部材６の係止部６ａが係止溝１５ａに進入し、ヒンジピン１５を係止して、軸受部材３をヒンジピン１５に対し係止させ、ヒンジピン１５からの軸受部材３の外れを防止する構造である。
【００３７】
各軸保持部１３は、ヒンジピン１５を上向きに突出して保持するように、金属を成形して形成され、軸保持部１３に取付孔が設けられ、図１１に示す如く、取付片１２ｂに対し固定ねじ１４を用いて各軸保持部１３は取り付けられる。このとき、各ヒンジピン１５は、その軸が取付板部１２の長手方向に沿った１本の軸線上を通るように、軸心位置を合わせて取り付けられる。なお、ヒンジピン１５を有する軸保持部１３は、上部と下部のみ２箇所に設けることもでき、４箇所に設けることもできる。
【００３８】
このように構成された蝶番は、図１５に示すように、その固定部材１１がゲーム機の筐体Ｃの開口部における左側壁の内側に、取付板部１２の取付孔に取付ねじを挿入し締め付けて固定され、その可動部材１がゲーム機の扉Ｄの左端部内側における固定部材１１と対応した位置に、その基枠体２を取付ねじにより締め付けて固定される。
【００３９】
そして、扉Ｄを開いた状態で、蝶番の可動部材１の上中下の軸受部材３の軸受孔３ａを、筐体Ｃの固定部材１１の上中下のヒンジピン１５に嵌合して、図１のように蝶番を組み付け、ゲーム機の扉Ｄを筐体Ｃに対し装着する。このとき、扉Ｄを持って先ず軸受部材３を固定部材１１側の軸保持部１３に合わせ、軸受部材３の凹部内壁を、固定部材１１の軸保持部１３の側面に当てるように、扉Ｄを動かして、ヒンジピン１５の軸心位置を軸受孔３ａの軸心位置に合わせ、この状態で、扉Ｄの位置を少し下げれば、自動的にヒンジピン１５が軸受孔３ａ内に進入して嵌め込まれる。
【００４０】
このとき、軸受部材３内のピン係止部材６はその係止部６ａがヒンジピン１５に押されて少し戻った後、付勢ばね７のばね力により前方に摺動し、係止部６ａが図１３〜図１５に示すように係止溝１５ａに進入し、ヒンジピン１５と軸受部材３が係止される。これにより、蝶番の可動部材１と固定部材１１が組み付けられ、蝶番を介して可動部材１の扉Ｄが筐体Ｃの固定部材１１に対し開閉可能に組み付けられ、ピン係止部材６の係止部６ａの係止により、扉Ｄの外れは阻止される。
【００４１】
一方、ゲーム機の保守点検時の調整や部品交換などの作業を行う際、蝶番の可動部材１を固定部材１１から外して、扉Ｄを筐体Ｃから外す場合、図１５（ｂ）のように扉Ｄを中間位置まで開いた状態で、図１６（ｂ）のように、軸受部材３の上面に突出するスライド部材８の押下先端部８ｄを、軸受部材３内に押し込む。これにより、図１６（ｂ）のように、スライド部材８の傾斜係合部８ｂが下側に摺動し、図１７に示す如く、ピン係止部材６のばね保持部６ｂが傾斜係合部８ｂにより後方に押されて摺動し、係止部６ａがヒンジピン１５の係止溝１５ａから外れる。このとき、スライド部材８は、付勢ばね７によりばね保持部６ｂを介して横方向（前方向）に押圧された状態にあり、ピン係止部材６の係止を外した状態は保持される。したがって、この状態で、扉Ｄを持ち上げることにより、固定部材１１のヒンジピン１５から、可動部材１の軸受部材３が外れ、扉Ｄは筐体Ｃから離脱する。
【００４２】
このように、扉Ｄを開いた状態で、可動部材１の軸受部材３の上面に突出する押下先端部８ｄを、上方から軸受部材３内に押し込むだけの簡単な操作で、蝶番の可動部材１を外すことができる。
【００４３】
なお、スライド部材８に軸受部材３内に押し込んだとき、付勢ばね７によりばね保持部６ｂを介してスライド部材８は、横方向に押圧されるので、その摩擦抵抗により、スライド部材８はその位置に保持される。このため、スライド部材８を押し込み状態としておけば、作業者は、両手を使用して扉Ｄの可動部材１を、筐体Ｃの固定部材１１から容易に外すことができる。このように、扉Ｄ（可動部材１）を開いた場合、軸受部材３の上面が開放され、その状態で、スライド部材８を押し込んで、ピン係止部材６の係止部６ａを後方に摺動させて、可動部材１を外すことができる。
【００４４】
これにより、ゲーム機の保守点検時の調整や部品交換などの作業を行う際、蝶番の可動部材１を固定部材１１から外して、扉Ｄを筐体Ｃから外し、作業を迅速に行うことができる。勿論、扉Ｄが閉じられた状態では、図１のように、可動部材１の基枠体２と固定部材１１の取付板部１２が軸受部材３を覆い、且つストッパ部３ｃが固定部材１１の軸保持部１３の下面に当接しているため、可動部材１を外すことは不可能であり、ゲーム機のセキュリティは確保される。
【００４５】
一方、固定部材１１から離脱した状態の可動部材１を固定部材１１に組み付ける場合、上記とは逆に、扉Ｄを開いた状態で、蝶番の可動部材１の上中下の軸受部材３の軸受孔３ａを、筐体Ｃの固定部材１１の上中下のヒンジピン１５に嵌め込む。
【００４６】
このとき、扉Ｄを持って先ず軸受部材３を固定部材１１側の軸保持部１３に合わせ、軸受部材３の凹部内壁を、固定部材１１の軸保持部１３の側面に当てるように、扉Ｄを動かして、ヒンジピン１５の軸心位置を軸受孔３ａの軸心位置に合わせし、この状態で、扉Ｄの位置を少し下げれば、自動的にヒンジピン１５が軸受孔３ａ内に進入して、簡単に軸受部材３をヒンジピン１５に嵌め込むことができる。
【００４７】
この後、扉Ｄの可動部材１を固定部材１１に対し閉鎖するように回動させれば、図１８のように、ヒンジピン１５の軸保持部１３が回動してスライド部材８の末端傾斜部８ｃの傾斜面を押圧し、これにより、スライド部材８が上方に押し上げられる。このスライド部材８の上昇に伴い、その係合凹部８ａがピン係止部材６のばね保持部６ｂの位置に達したとき、付勢ばね７のばね力によりばね保持部６ｂが係合凹部８ａ内に戻り、図１７に示すように、その係止部６ａがヒンジピン１５の係止溝１５ａに進入し、ヒンジピン１５と軸受部材３が係止される。このようにして、蝶番の可動部材１と固定部材１１が組み付けられ、蝶番を介して可動部材１の扉Ｄが開閉可能に組み付けられ、ピン係止部材６の係止部６ａとヒンジピン１５の係止溝１５ａの係合により、扉Ｄの外れは阻止される。
【００４８】
なお、本発明の蝶番は、上記実施形態に限定されるものではなく、以下のような態様でも実施することができる。
【００４９】
上記では可動部材１側に軸受孔３ａを有する軸受部材３を設け、固定部材１１側にヒンジピン１５を有する軸保持部１３を設けたが、反対に、固定部材側に軸受孔を有する軸受部材を固定し、可動部材側にヒンジピンを有する軸保持部を固定してもよい。
【００５０】
また、上記実施形態の図面では、３個の軸受部材３に、全てスライド部材８とピン係止部材６を設けたが、最上部に位置する１個の軸受部材３にのみ、スライド部材８とピン係止部材６を設けておけば、軸受部材３のヒンジピン１５に対する係止は可能であり、可動部材１を固定部材１１に対し係止させて扉Ｄの外れを防止することができる。
【符号の説明】
【００５１】
１      可動部材
２      基枠体
３      軸受部材
３ａ    軸受孔
３ｂ    水平面部
３ｃ    ストッパ部
３ｄ    凹部
６      ピン係止部材
６ａ    係止部
６ｂ    保持部
８      スライド部材
８ａ    係合凹部
８ｂ    傾斜係合部
８ｃ    末端傾斜部
８ｄ    押下先端部
９      金属板
１１    固定部材
１２    取付板部
１２ａ  Ｌ字状断面部
１２ｂ  取付片
１３    軸保持部
１５    ヒンジピン
１５ａ  係止溝
Ｃ      筐体
Ｄ      扉
【図１】
2016211313.tif 000003
【図２】
2016211313.tif 000004
【図３】
2016211313.tif 000005
【図４】
2016211313.tif 000006
【図５】
2016211313.tif 000007
【図６】
2016211313.tif 000008
【図７】
2016211313.tif 000009
【図８】
2016211313.tif 000010
【図９】
2016211313.tif 000011
【図１０】
2016211313.tif 000012
【図１１】
2016211313.tif 000013
【図１２】
2016211313.tif 000014
【図１３】
2016211313.tif 000015
【図１４】
2016211313.tif 000016
【図１５】
2016211313.tif 000017
【図１６】
2016211313.tif 000018
【図１７】
2016211313.tif 000019
【図１８】
2016211313.tif 000020
【図１９】
2016211313.tif 000021